(57)【要約】【課題】オモテ表紙を付加する場合において、ユーザに対する使い勝手が向上された画像形成装置及び画像形成システムを提供すること。【解決手段】複数の原稿ページから成る原稿の画像データに基づいて画像を用紙上に形成する画像形成部４３と、用紙に後処理を施す後処理部５０と、原稿ページの後処理の区分を入力して設定するページ単位設定エリアＧ２３と、オモテ表紙の付加の設定を行なうオモテ表紙設定部Ｇ２１ａと、原稿ページの後処理の区分が設定され、且つ、オモテ表示の付加の設定がなされた場合、区分毎の先頭の用紙をオモテ表紙として画像形成部４３に画像を形成させる制御部１１０と、を備えた画像形成装置２。【選択図】図６
2008273011.tif 000002
【特許請求の範囲】
【請求項１】
複数の原稿ページから成る原稿の画像データに基づいて画像を用紙上に形成する画像形成部と、
前記用紙に後処理を施す後処理部と、
前記原稿ページの前記後処理の区分を入力して設定する第１入力部と、
オモテ表紙の付加の設定を行なう第２入力部と、
第１入力部により前記原稿ページの前記後処理の区分が設定され、且つ、前記第２入力部により前記オモテ表示の付加の設定がなされた場合、前記区分毎の先頭の用紙をオモテ表紙として前記画像形成部に画像を形成させる制御部と、
を備えた画像形成装置。
【請求項２】
前記オモテ表紙に原稿ページの画像を形成させるか、又は、前記オモテ表紙に白紙画像を形成させるか、の選択を行なう第３入力部を備え、
前記制御部は、前記第３入力部により前記オモテ表紙に前記区分毎の先頭の原稿ページの画像を形成させると選択された場合、前記オモテ表紙に前記区分毎の先頭の原稿ページの画像を前記画像形成部に形成させ、前記オモテ表紙に白紙画像を形成させると選択された場合、前記オモテ表紙に前記白紙画像を前記画像形成部に形成させる、
請求項１に記載の画像形成装置。
【請求項３】
前記原稿ページの複数の区分のうち、先頭の区分のみに前記オモテ表紙を付加するか否かの設定を行なう第４入力部を備え、
前記制御部は、前記第４入力部による設定に基づいて、前記画像形成部に前記原稿ページの区分毎に画像を形成させる、
請求項１又は２に記載の画像形成装置。
【請求項４】
前記後処理とは、前記画像が形成された用紙を綴じるステイプル処理である、
請求項１から３のいずれか一項に記載の画像形成装置。
【請求項５】
複数の原稿ページから成る原稿の画像データ、前記画像データに基づいて画像が形成される用紙が施される後処理の指示を送信する操作装置と、
前記操作装置から受信した画像データに基づいて画像を用紙上に形成する画像形成部、前記用紙に後処理を施す後処理装置を有する画像形成装置と、
が通信可能に接続された画像形成システムにおいて、
前記操作装置は、
前記原稿ページの前記後処理の区分を入力して設定する第１入力部と、
オモテ表紙の付加の設定を行なう第２入力部と、
を有し、
前記画像形成装置は、
第１入力部により前記原稿ページの前記後処理の区分が設定され、且つ、前記第２入力部により前記オモテ表示の付加の設定がなされた場合、前記区分毎の先頭の用紙をオモテ表紙として前記画像形成部に画像を形成させる制御部を有する、
画像形成システム。
【請求項６】
前記操作装置は、
前記オモテ表紙に前記区分毎の先頭の原稿ページの画像を形成させるか、又は、前記オモテ表紙に白紙画像を形成させるか、の選択を行なう第３入力部を備え、
前記制御部は、前記第３入力部により前記オモテ表紙に前記区分毎の先頭の原稿ページの画像を形成させると選択された場合、前記オモテ表紙に前記区分毎の先頭の原稿ページの画像を前記画像形成部に形成させ、前記オモテ表紙に白紙画像を形成させると選択された場合、前記オモテ表紙に前記白紙画像を前記画像形成部に形成させる、
請求項５に記載の画像形成システム。
【請求項７】
前記操作装置は、
前記原稿ページの複数の区分のうち、先頭の区分のみに前記オモテ表紙を付加するか否かの設定を行なう第４入力部を備え、
前記制御部は、前記第４入力部による設定に基づいて、前記画像形成部に前記原稿ページの区分毎に画像を形成させる、
請求項５又は６に記載の画像形成システム。
【請求項８】
前記後処理とは、前記画像が形成された用紙を綴じるステイプル処理である、
請求項５から７のいずれか一項に記載の画像形成システム。
【発明の詳細な説明】
【技術分野】
【０００１】
本発明は、画像形成装置及び画像形成システムに関する。
【背景技術】
【０００２】
近年、画像を用紙上に形成する画像形成部と、画像形成部により画像が形成された用紙に対して、パンチ処理、ステイプル処理及び折り処理等の後処理を施す後処理部とを備えた画像形成装置が提供されている。
【０００３】
例えば、このような画像形成装置としては、複数部の用紙の束を全て出力した後に、一括して部毎に綴じ処理を行うことができるようにするために、任意のページを指定するページ入力手段と、指定されたページ毎に指定したページまでの用紙を綴じるよう制御する制御部とを備える複写装置が開示されている（特許文献１参照）。
【０００４】
更に、ステイプル処理、折り処理等の後処理に加え、ページ番号のプリント、レイアウト処理等の機能を有する画像形成装置が登場している。このような画像形成装置には、複数の用紙、ジョブ単位、複数ページ単位及びページ単位での画像形成条件の設定が変更可能な画像形成装置がある。
【０００５】
また、複数ページの原稿を複数のグループに分け、グループ毎に設定された画像形成条件に従って全グループの画像形成を行う画像形成装置や、複数ページの原稿全体に関わる第１画像形成条件とは別に、複数ページの原稿全体のうち所定ページに対して、レイアウト・情報付加・後処理のうち少なくとも１つを第１画像形成条件とは異なる第２画像形成条件に設定し、所定ページは第２画像形成条件に従って画像形成を行う画像形成装置が開示されている（特許文献２参照）。
【特許文献１】特開平４−１４２９９３号公報
【特許文献２】特開２００４−２８７４１１号公報
【発明の開示】
【発明が解決しようとする課題】
【０００６】
しかしながら、このような従来の画像形成装置においては、複数の原稿ページから成る原稿グループが複数部集まった原稿に対して、オモテ表紙を付加したり先頭の原稿ページのみ他の原稿ページとは異なる用紙に形成させたりする機能（オモテ表紙設定）をした場合、先頭の原稿グループの先頭原稿ページのみしかオモテ表紙設定がされない。全ての原稿グループの先頭の原稿ページにオモテ表紙設定をするためには、原稿ページ毎又は原稿グループ毎にオモテ表紙設定を行わなくてはならず、ユーザにとって煩雑な作業となり、使い勝手も良いものではなかった。
【０００７】
本発明の課題は、オモテ表紙を付加する場合において、ユーザに対する使い勝手が向上された画像形成装置及び画像形成システムを提供することである。
【課題を解決するための手段】
【０００８】
請求項１に記載の発明によれば、複数の原稿ページから成る原稿の画像データに基づいて画像を用紙上に形成する画像形成部と、前記用紙に後処理を施す後処理部と、前記原稿ページの前記後処理の区分を入力して設定する第１入力部と、オモテ表紙の付加の設定を行なう第２入力部と、第１入力部により前記原稿ページの前記後処理の区分が設定され、且つ、前記第２入力部により前記オモテ表示の付加の設定がなされた場合、前記区分毎の先頭の用紙をオモテ表紙として前記画像形成部に画像を形成させる制御部と、を備えた画像形成装置が提供される。
【０００９】
請求項２に記載の発明によれば、請求項１に記載の画像形成装置において、前記オモテ表紙に原稿ページの画像を形成させるか、又は、前記オモテ表紙に白紙画像を形成させるか、の選択を行なう第３入力部を備え、前記制御部は、前記第３入力部により前記オモテ表紙に前記区分毎の先頭の原稿ページの画像を形成させると選択された場合、前記オモテ表紙に前記区分毎の先頭の原稿ページの画像を前記画像形成部に形成させ、前記オモテ表紙に白紙画像を形成させると選択された場合、前記オモテ表紙に前記白紙画像を前記画像形成部に形成させる。
【００１０】
請求項３に記載の発明によれば、請求項１又は２に記載の画像形成装置において、前記原稿ページの複数の区分のうち、先頭の区分のみに前記オモテ表紙を付加するか否かの設定を行なう第４入力部を備え、前記制御部は、前記第４入力部による設定に基づいて、前記画像形成部に前記原稿ページの区分毎に画像を形成させる。
【００１１】
請求項４に記載の発明によれば、請求項１から３のいずれか一項に記載の画像形成装置において、前記後処理とは、前記画像が形成された用紙を綴じるステイプル処理である。
【００１２】
請求項５に記載の発明によれば、複数の原稿ページから成る原稿の画像データ、前記画像データに基づいて画像が形成される用紙が施される後処理の指示を送信する操作装置と、前記操作装置から受信した画像データに基づいて画像を用紙上に形成する画像形成部、前記用紙に後処理を施す後処理装置を有する画像形成装置と、が通信可能に接続された画像形成システムにおいて、前記操作装置は、前記原稿ページの前記後処理の区分を入力して設定する第１入力部と、オモテ表紙の付加の設定を行なう第２入力部と、を有し、前記画像形成装置は、第１入力部により前記原稿ページの前記後処理の区分が設定され、且つ、前記第２入力部により前記オモテ表示の付加の設定がなされた場合、前記区分毎の先頭の用紙をオモテ表紙として前記画像形成部に画像を形成させる制御部を有する画像形成システムが提供される。
【００１３】
請求項６に記載の発明によれば、請求項５に記載の画像形成システムにおいて、前記操作装置は、前記オモテ表紙に前記区分毎の先頭の原稿ページの画像を形成させるか、又は、前記オモテ表紙に白紙画像を形成させるか、の選択を行なう第３入力部を備え、前記制御部は、前記第３入力部により前記オモテ表紙に前記区分毎の先頭の原稿ページの画像を形成させると選択された場合、前記オモテ表紙に前記区分毎の先頭の原稿ページの画像を前記画像形成部に形成させ、前記オモテ表紙に白紙画像を形成させると選択された場合、前記オモテ表紙に前記白紙画像を前記画像形成部に形成させる。
【００１４】
請求項７に記載の発明によれば、請求項５又は６に記載の画像形成システムにおいて、前記操作装置は、前記原稿ページの複数の区分のうち、先頭の区分のみに前記オモテ表紙を付加するか否かの設定を行なう第４入力部を備え、前記制御部は、前記第４入力部による設定に基づいて、前記画像形成部に前記原稿ページの区分毎に画像を形成させる。
【００１５】
請求項８に記載の発明によれば、請求項５から７のいずれか一項に記載の画像形成システムにおいて、前記後処理とは、前記画像が形成された用紙を綴じるステイプル処理である。
【発明の効果】
【００１６】
請求項１、５に記載の発明によれば、原稿ページの後処理の区分が設定され、且つ、オモテ表示の付加の設定がなされた場合、区分毎の先頭の用紙をオモテ表紙として画像形成部に画像を形成させることができるため、後処理が実行される原稿ページの区分毎又は原稿ページ毎にオモテ表紙設定を行う手間が省かれ、ユーザに対する使い勝手を向上することができる。
【００１７】
請求項２、６に記載の発明によれば、請求項１、５と同様の効果を得られるのは勿論のこと、オモテ表紙に原稿ページの画像を形成するか又は白紙画像を形成させるかをユーザが任意に選択でき、オモテ表紙に区分毎の先頭の原稿ページの画像を形成させると選択された場合、オモテ表紙に区分毎の先頭の原稿ページの画像を前記画像形成部に形成させることができ、また、オモテ表紙に白紙画像を形成させると選択された場合、オモテ表紙に白紙画像を画像形成部に形成させることができる。
【００１８】
請求項３、７に記載の発明によれば、請求項１又は２、５又は６と同様の効果を得られるのは勿論のこと、原稿ページの複数の区分のうち、先頭の区分のみにオモテ表紙を付加するか否かの設定を行なうかをユーザが任意に選択することができ、ユーザに対する利便性を向上させることができる。
【００１９】
請求項４、８に記載の発明によれば、請求項１から３、５から７のいずれか一項と同様の効果を得られるのは勿論のこと、ステイプル処理が施される用紙の束の先頭の用紙をオモテ表紙として画像形成部に画像を形成させることができる。
【発明を実施するための最良の形態】
【００２０】
以下、図を参照して本発明の実施の形態を詳細に説明する。
まず、構成を説明する。
図１に、本実施の形態における画像形成システムＡの構成を示す。
【００２１】
図１に示すように、画像形成システムＡは、操作装置１と画像形成装置２とを備え、各装置はネットワークＮを介して通信可能に接続されている。なお、図１には、１台の操作装置１と３台の画像形成装置２が接続された例を示したが、各装置の設置台数は特に限定しない。
【００２２】
操作装置１は、画像形成装置２を遠隔操作することを目的とし、例えば、操作装置１から画像形成装置２を制御してプリント処理を実行させる場合に、操作装置１はプリント時に設定された各種設定条件及び画像データを画像形成装置２に送信する。操作装置１としては、例えば、汎用のＰＣ等の情報処理装置が適用可能である。
【００２３】
画像形成装置２は、用紙上に画像を形成する画像形成機能と、画像が形成された用紙に対して穴あけ処理、ステイプル処理、折り処理、断裁処理等の後処理機能とを併せ持ち、装置本体に設けられた操作表示部からの設定指示又は操作装置１から送信される各種設定指示に従って処理を行う装置である。
【００２４】
ネットワークＮは、ＬＡＮ（Local Area Network）、ＷＡＮ（Wide Area Network）と
してもよく、また、電話回線網、ＩＳＤＮ（Integrated Services Digital Network）回
線網、広帯域通信回線網、専用線、移動体通信網、通信衛星回線、ＣＡＴＶ（Community Antenna Television）回線、光通信回線、無線通信回線等と、それらを接続するインターネットサービスプロバイダなどを含む構成でもよい。
【００２５】
まず、操作装置１について説明する。
図２に、操作装置１の内部構成図を示す。
図２に示すように、操作装置１は、制御部１１、記憶部１２、ＲＡＭ（Random Access Memory）１３、操作部１４、表示部１５、通信部１６等を備え、各部はバス１７等を介して互いに通信可能に接続されている。
【００２６】
制御部１１は、ＣＰＵ（Central Processing Unit）等を備え、記憶部１２に記憶され
ているシステムプログラム、各種制御プログラム、各種データ等をＲＡＭ１３内に展開し、これらのプログラム及びデータとの協働により、操作装置１の動作全般を統括的に制御する。また、制御部１１は、ＲＡＭ１３に展開したプログラムに従って各種処理を実行し、その処理結果をＲＡＭ１３に格納するとともに、表示部１５に表示させる。そして、ＲＡＭ１３に格納した処理結果を記憶部１２の所定の保存先に保存させる。
【００２７】
また制御部１１は、記憶部１２に記憶されたアプリケーションソフトプログラムやプリンタドライバを実行させるプリンタドライバプログラム１２ａ及び各種データの協働によってプリント制御処理等を実行し、その処理結果をＲＡＭ１３に格納するとともに、表示部１５に表示する。
【００２８】
記憶部１２は、ＲＯＭ（Read Only Memory）やＨＤＤ（Hard Disk Drive）等の不揮発性の記憶媒体を備え、この記憶媒体内に、制御部１１により実行されるシステムプログラム、各種制御プログラム、各種アプリケーションプログラム、プリンタドライバプログラム１２ａ及びこれらのプログラムに係るデータ等を記憶している。
【００２９】
ＲＡＭ１３は、制御部１１によって実行される各種プログラム及びこれらに係るデータを一時的に記憶するワークエリアを形成する。
【００３０】
操作部１４は、操作装置１内及び画像形成装置２に対する動作指示を入力するための数字キー、文字キー、カーソル移動キー及び各種機能キー等から構成されたキーボードと、マウス等のポインティングデバイスとを備えて構成される。操作部１４は、キーボードによる押下信号とマウスによる操作信号とを入力信号として制御部１１に出力する。
【００３１】
表示部１５は、ＬＣＤ（Liquid Crystal Display）等を備えて構成され、制御部１１から入力される表示信号に従って表示画面上に各種設定画面の表示を行う。
【００３２】
通信部１６は、ネットワークインターフェースカード（ＮＩＣ；Network Interface Card）、モデム（ＭＯＤＥＭ：MOdulator-DEModulator）、ＵＳＢ（Universal Serial Bus
）等の各種インターフェイスを備えて構成され、ネットワークＮ上の外部機器と相互に情報の送受信を行う。
【００３３】
図３、４に、表示部１５の表示画面上に表示させる各種設定画面の例を示す。各種設定画面は、画像形成装置２にプリント処理を実行させる際にプリント処理における各種設定条件を入力して設定するための画面である。
図３に、セットアップ画面Ｇ０、図４に、ページ単位設定画面Ｇ２０ａ、の例を示す。
【００３４】
図３に示すセットアップ画面Ｇ０には、用紙設定エリアＧ１１、出力設定エリアＧ１２、製本設定エリアＧ１３、プレビューエリアＧ１４を含むセットアップインデックスＧ１と、ページ単位設定画面に切り替えるページ単位設定インデックスＧ２、特殊機能設定画面に切り替える特殊画面インデックスＧ３、フォーム設定画面に切り替えるフォームインデックスＧ４、ウォーターマーク設定画面に切り替えるウォーターマークインデックスＧ５、画像品質設定画面に切り替える画像品質インデックスＧ６、フォント設定画面に切り替えるフォントインデックスＧ７、プリンタドライバの改訂版を表示するバージョン確認画面に切り替えるバージョンインデックスＧ８等を有する。
【００３５】
製本設定エリアＧ１３は、綴じ位置を設定する綴じ位置設定釦やコピーモードを設定するコピーモード設定釦、複数の原稿を１ページに割り付けて集約するか否かを設定するページ割付設定部、ページ割付設定部がチェックされた場合に集約される原稿の数を設定する集約枚数設定釦、とじ代を任意に設定するか否かを設定するとじ代設定部、とじ代設定部がチェックされた場合にとじ代の幅や画像位置等のとじ代の詳細な情報を設定する画面を表示させる綴じ代設定釦、ステイプルの有無を設定するステイプル設定部Ｇ１３ａ、ステイプル設定部Ｇ１３ａがチェックされた場合にステイプルの種類を設定するステイプル設定釦Ｇ１３ｂ等を有している。
【００３６】
図４に示すページ単位設定画面Ｇ２０ａは、オモテ表紙設定エリアＧ２１、ウラ表紙設定エリアＧ２２、ページ単位設定エリアＧ２３、プレビューエリアＧ２４等を含むページ単位設定インデックスＧ２が表示されている。
【００３７】
オモテ表紙設定エリアＧ２１は、オモテ表紙の付加を設定するか否かの設定を行なうオモテ表紙設定部Ｇ２１ａ、オモテ表紙設定部Ｇ２１ａがチェックされた場合にオモテ表紙に原稿ページの画像を形成させるか、又は、オモテ表紙に白紙画像を形成させるかの選択を行なう白紙／印刷選択釦Ｇ２１ｂ、オモテ表紙の給紙トレイを設定する給紙トレイ設定釦Ｇ２１ｃ、原稿ページが複数に区分されている場合に先頭の区分のみにオモテ表紙を付加するか否かの設定を行なう先頭冊子設定釦Ｇ２１ｄ等を有している。
【００３８】
ページ単位設定エリアＧ２３は、原稿ページ単位毎に各種設定条件を設定するか否かの設定を行うページ単位設定部Ｇ２３ａ、ページ単位設定部Ｇ２３ａがチェックされた場合に予め定められた複数の各種設定条件からユーザが所望する各種設定条件を設定する条件選択釦Ｇ２３ｂ、ページ単位設定部Ｇ２３ａがチェックされた場合の原稿ページ毎の各種設定条件が表示された一覧エリアＧ２３ｃ等を有している。
【００３９】
一覧エリアＧ２３ｃは、原稿ページを識別する識別番号と識別番号に対応して後処理の種類の設定（ここでは、ステイプルの有無及びステイプルの位置を示す。）、原稿ページの後処理の終了位置又は区分位置か否かの設定（ここでは、ステイプルの終了位置を示す。）等の個別条件が設定可能に表示されている。ここでは、４枚の原稿ページについて、それぞれ各条件について個別に設定されている。例えば、識別番号が１及び３の原稿ページは、ステイプルが１ヶ所、ステイプルの終了位置の指定なしと設定されている。識別番号が２及び４の原稿ページは、ステイプルが１ヶ所、ステイプルの終了位置の指定ありと設定されている。従って、１及び２の原稿ページの画像が形成されステイプル処理された用紙の束と、識別番号３及び４の原稿ページの画像が形成されステイプル処理された用紙の束との２つの用紙の束が形成されることとなる。
【００４０】
なお、個別条件としては、後処理の種類、区分位置のみに限らず、コピーモード、給紙トレイ等を含んでもよく、これに限らない。
【００４１】
プレビューエリアＧ２４は、一覧エリアＧ２３ｃにおいて、選択された原稿ページのプリントイメージ画像が表示される。
【００４２】
本発明において、原稿ページの後処理の区分を入力して設定する第１入力部は、ページ単位設定エリアＧ２３である。オモテ表紙の付加の設定を行なう第２入力部は、オモテ表紙設定部Ｇ２１ａである。更に、オモテ表紙に原稿ページの画像を形成させるか、又は、オモテ表紙に白紙画像を形成させるか、の選択を行なう第３入力部は、白紙／印刷選択釦Ｇ２１ｂである。原稿ページの複数の区分のうち、先頭の区分のみに前記オモテ表紙を付加するか否かの設定を行なう第４入力部は、先頭冊子設定釦Ｇ２１ｄである。
【００４３】
次に、画像形成装置２について説明する。
図５に、画像形成装置２の概略断面構成図を示す。
画像形成装置２は、原稿から画像を読み取り、読み取った画像を用紙Ｐに画像形成したり、操作装置１等から画像データを受信し画像データに基づいて画像を用紙Ｐ上に形成する画像形成部と、画像が形成された用紙に対して、パンチ処理、ステイプル処理、折り処理、断裁処理等を施す後処理部等を備えたデジタル複合機である。図５に示すように、画像形成装置２は、画像読取部２０と、プリント部４０と、後処理部５０と、を備えて構成される。
【００４４】
画像読取部２０は、ＡＤＦ（Auto Document Feeder）と称される自動原稿送り部２１と読取部２２とを備える。自動原稿送り部２１の原稿トレイＴ１に載置された原稿ｄは、読取部２２の読取個所であるコンタクトガラスに搬送され、読取部２２の光学系により原稿ｄの片面又は両面の画像が読み取られ、ＣＣＤ（Charge Coupled Device）２２ａにより原稿ｄの画像が読み取られる。ここで、画像とは、図形や写真等のイメージデータに限らず、文字や記号等のテキストデータ等も含む意である。
【００４５】
読取部２２により読み取られた画像（アナログ画像信号）は、後述する画像制御基板に出力され、画像制御基板においてＡ／Ｄ変換され各種画像処理が施された後、プリント部４０に出力される。
【００４６】
プリント部４０は、入力されたプリントデータに基づいて、電子写真方式の画像形成処理を行うものであり、給紙部４１、給紙搬送部４２、画像形成部４３、搬出部４４を備えて構成される。
【００４７】
給紙部４１は、複数の給紙トレイ４１ａ、給紙手段４１ｂ、手差しトレイＴ２等を備える。給紙トレイ４１ａは、給紙トレイ４１ａ毎にサイズや種類毎に予め識別された用紙Ｐが収容されており、給紙手段４１ｂによって用紙Ｐを最上部から一枚ずつ給紙搬送部４２に向けて搬送する。手差しトレイＴ２は、ユーザのニーズに合わせて様々な種類の用紙Ｐを積載可能となっており、給紙ローラによって積載された用紙Ｐを最上部から一枚ずつ給紙搬送部４２に向けて搬送する。
【００４８】
給紙搬送部４２は、給紙トレイ４１ａ又は手差しトレイＴ２から搬送された用紙Ｐを、複数の中間ローラ、レジストローラ４２ａ等を経て転写装置４３ａへと搬送する。
また、給紙搬送部４２は、搬送路切換板により、片面画像形成処理済みの用紙Ｐを両面搬送路に搬送し、再び中間ローラ、レジストローラ４２ａを経て転写装置４３ａへと搬送する。
【００４９】
画像形成部４３は、感光体ドラム、帯電装置、画像データに基づくレーザ光を出力するレーザ出力部とレーザ光を主走査方向に走査させるポリゴンミラーとを有する露光装置、現像装置、転写装置４３ａ、クリーニング部、定着装置４３ｂを備えている。具体的には、帯電装置により帯電された感光体ドラムに露光装置でレーザ光を照射して静電潜像を形成する。そして、現像装置は、静電潜像が形成された感光体ドラムの表面に帯電したトナーを付着させて静電潜像を現像する。現像装置により感光体ドラム上に形成されたトナー像は、転写装置４３ａにおいて用紙Ｐに転写される。また、用紙Ｐにトナー像が転写された後、感光体ドラムの表面の残留トナー等は、クリーニング部により除去される。
【００５０】
定着装置４３ｂは、給紙搬送部４２によって搬送された用紙Ｐに転写されたトナー像を熱定着する。定着処理された用紙Ｐは、搬出部４４の排紙ローラに挟持されて搬出口から後処理部５０へ搬送される。
【００５１】
後処理部５０は、画像が形成された用紙のソート処理を行うソート部、パンチ処理を行うパンチユニット、用紙の束にステイプル処理を行うステイプルユニット、折り処理を行う折りユニット、断裁処理を行う断裁ユニット等を備える。各種処理が施された又は施されなかった用紙は、排紙トレイＴ３に排紙される。
【００５２】
図６に、画像形成装置２の制御ブロック図を示す。
図６に示すように、画像形成装置２は、本体部２ａとプリンタコントローラ２ｂと、本体部２ａに接続された後処理部５０から構成されている。画像形成装置２は、プリンタコントローラ２ｂのＬＡＮＩＦ（Local Area Network InterFace）２４ｂを介してネットワークＮ上の操作装置１と相互に情報の送受信が可能に接続されている。
【００５３】
本体部２ａは、画像読取部２０、操作表示部３０、プリント部４０、画像制御基板１００を備えて構成される。なお、図５で説明した各部と同一の構成には、同一の符号を付してその説明を省略する。
【００５４】
画像制御基板１００は、制御部１１０、不揮発メモリ１２０、ＲＡＭ（Random Access Memory）１３０、読取処理部１４０、圧縮ＩＣ１５０、ＤＲＡＭ（Dynamic Random Access Memory）制御ＩＣ１６０、画像メモリ１７０、伸長ＩＣ１８０、書込処理部１９０から構成される。
【００５５】
制御部１１０は、ＣＰＵ（Central Processing Unit）等から構成され、不揮発メモリ１２０に格納されている各種処理プログラムに従って画像形成装置２の各部の動作を集中制御する。例えば、操作表示部３０や操作装置１から入力される指示信号に従って、コピーモード、プリンタモード、スキャナモードを切り替え、複写、プリント、画像データの読取等の制御を行う。
【００５６】
また、制御部１１０は、プリント部４０のプリント制御部４００に対して、画像書込信号ＰＶＶを送信する。画像書込信号ＰＶＶがＯＮ状態である場合を感光体ドラム上に形成されたトナー像が転写装置４３ａにおいて用紙Ｐに転写される状態とし、ＯＦＦ状態である場合を感光体ドラム上に形成されたトナー像が転写装置４３ａにおいて用紙Ｐに転写されない状態とする。
【００５７】
また、制御部１１０は、本実施の形態を実現させるために、不揮発メモリ１２０から本実施の形態に係るオモテ表紙設定プログラムとＲＡＭ１３０からジョブデータとを読み出して、当該プログラム及びデータとの協働によりオモテ表紙の設定を制御する。制御部１１０は、操作表示部３０又は操作装置１において原稿ページの後処理の区分が設定され、且つ、オモテ表紙の付加の設定がなされた場合、区分毎の先頭の用紙をオモテ表紙として画像を形成させるよう制御する。
【００５８】
例えば、原稿ページの後処理の区分が設定され、且つ、オモテ表紙の付加の設定がなされた場合としては、ページ単位設定部Ｇ２３ａがチェックされ、一覧エリアＧ２３ｃにおいてステイプル終了位置の指定があり、更にオモテ表紙設定部Ｇ２１ａがチェックされ先頭冊子設定釦Ｇ２１ｄがチェックされていない場合である。
【００５９】
特に、制御部１１０は、オモテ表紙に区分毎の先頭の原稿ページの画像を形成させると選択された場合（白紙／印刷選択釦Ｇ２１ｂの印刷釦が選択された場合）、オモテ表紙に区分毎の先頭の原稿ページの画像を画像形成部４３に形成させ、一方、オモテ表紙に白紙画像を形成させると選択された場合（白紙／印刷選択釦Ｇ２１ｂの白紙釦が選択された場合）、オモテ表紙に白紙画像を画像形成部４３に形成させる。
【００６０】
不揮発メモリ１２０は、画像形成に係る各種処理プログラム及びデータの他、本実施の形態に係るオモテ表紙設定プログラム、白紙画像を形成するための白紙画像データ、画像が形成された用紙Ｐに対する後処理をプリント部４０を介して後処理部５０に対し設定するためのデータ及び各種プログラムで処理されたデータ等を記憶する。
【００６１】
ＲＡＭ１３０は、制御部１１０により実行される各種プログラム及びこれらプログラムに係るデータ、ジョブデータ等を一時的に記憶するワークエリアを形成する。
【００６２】
図７に、ジョブデータの一例を示す。
図７に示すように、ジョブデータ１３１は、各原稿ページ共通のデータ（ページ共通データ１３１ａ）と、原稿ページ毎のデータ（ページ別データ１３１ｂ）とから構成されている。
【００６３】
ページ共通データ１３１ａは、操作装置１や操作表示部３０から入力される指示信号に基づいて設定された各種設定条件や画像形成動作及び後処理動作の動作状態を示すデータを含む。
【００６４】
例えば、ページ共通データ１３１ａとしては、設定部数Ｄ１、出力済み部数Ｄ２、コピーモードＤ３、後処理モードＤ４、本文トレイＤ５、オモテ表紙Ｄ６、オモテ表紙トレイＤ６ａ、先頭冊子のみＤ６ｂ、プリントページ番号Ｄ７、区分ページカウンタＤ８、読取済画像枚数Ｄ９等である。
【００６５】
設定部数Ｄ１は、用紙Ｐの出力部数を示す。出力済み部数Ｄ２は、出力済みの部数がカウントされた値を示す。コピーモードＤ３は、画像データを形成する面、即ち片面から両面プリント、両面から片面プリント等を示す。後処理モードＤ４は、設定された後処理の種類（ステイプルの有無やステイプル位置等）が示される。
【００６６】
本文トレイＤ５は、用紙設定エリアＧ１１において設定された給紙トレイ、即ち原稿ページの画像を形成する用紙が格納されているトレイを示す。
【００６７】
オモテ表紙Ｄ６は、オモテ表紙の付加の設定の有無及びオモテ表紙に原稿ページデータの画像を形成するか白紙の画像を形成するか、即ち、オモテ表紙設定部Ｇ２１ａがチェックされたか否か（チェックされていない場合には「無し」）、オモテ表紙設定部Ｇ２１ａがチェックされている場合には白紙／印刷選択釦Ｇ２１ｂの選択された釦（「白紙」又は「印刷」）を示す。オモテ表紙トレイＤ６ａは、オモテ表紙設定部Ｇ２１ａがチェックされた場合にオモテ表紙となる用紙が格納されている給紙トレイ、即ち、給紙トレイ設定釦Ｇ２１ｃが示す給紙トレイを示す。先頭冊子のみＤ６ｂは、オモテ表紙Ｄ６が白紙又は印刷である場合に有効となり、先頭の区分のみにオモテ表紙を付加するか否か（例えば、先頭冊子設定釦Ｇ２１ｄがチェックされたか否かにより、チェックされた場合には先頭の区分により形成される冊子のみオモテ表紙を付加するとして０を示し、チェックされていない場合には全ての区分により形成される全ての冊子にオモテ表紙を付加するとして１を示す。）
【００６８】
プリントページ番号Ｄ７は、画像形成処理される原稿ページに対応する個別画像データの識別番号を示す。区分ページカウンタＤ８は、原稿ページの各区分における用紙のページ番号をカウントし当該カウント値を示す。読取済画像枚数Ｄ９は、読み取られた個別画像データの総数ｎを示す。
【００６９】
ページ別データは、読み込まれた各原稿ページに対応する個別画像データに、識別番号（例えば、ページ１、ページ２・・・）が付され、個別に記憶される。各個別画像データは、当該個別画像データが格納されている画像メモリ１７０上のアドレスを示す画像格納アドレスＤ１１と、一覧エリアＧ２３ｃによって設定された各個別画像データに対する後処理（ここでは、ステイプルの有無）を示す後処理情報Ｄ１２及び各個別画像データに対する区分位置（ここでは、ステイプル終了位置の指定の有無）を示す区分Ｄ１３等から構成される。
【００７０】
読取処理部１４０は、画像読取部２０の画像読取制御部２００から入力されるアナログ画像信号に、アナログ処理、Ａ／Ｄ変換処理、シェーディング処理等の各種処理を施した後、デジタル画像データを生成する。生成された画像データは、圧縮ＩＣ１５０に出力される。
【００７１】
圧縮ＩＣ１５０は、入力されたデジタル画像データに圧縮処理を施してＤＲＡＭ制御ＩＣ１６０に出力する。
【００７２】
ＤＲＡＭ制御ＩＣ１６０は、制御部１１０からの指示に従って、圧縮ＩＣ１５０による画像データの圧縮処理及び伸長ＩＣ１８０による圧縮画像データの伸長処理を制御するとともに、画像メモリ１７０への画像データの入出力制御を行う。例えば、画像読取部２０により読み取られた画像信号の保存が指示されると、読取処理部１４０から入力された画像データの圧縮処理を圧縮ＩＣ１５０により実行させて、圧縮画像データを画像メモリ１７０の圧縮メモリ１７１に格納させる。また、圧縮メモリ１７１に格納された圧縮画像データのプリント出力が指示されると、圧縮メモリ１７１から圧縮画像データを読み出し、伸長ＩＣ１８０により伸長処理を施してページメモリ１７２に格納させる。さらに、ページメモリ１７２に格納された画像データのプリント出力が指示されると、ページメモリ１７２から画像データを読み出して書込処理部１９０に出力する。
【００７３】
画像メモリ１７０は、ＤＲＡＭ（Dynamic RAM）から構成される圧縮メモリ１７１とページメモリ１７２とを備える。圧縮メモリ１７１は、圧縮画像データを格納するためのメモリであり、ページメモリ１７２は、プリント出力用の画像データを一時的に格納するためのメモリである。
【００７４】
伸長ＩＣ１８０は、入力される圧縮画像データに伸長処理を施す。
【００７５】
書込処理部１９０は、ＤＲＡＭ制御ＩＣ１６０から入力された画像データに基づいて、画像形成のためのプリントデータを生成し、プリント部４０に出力する。
【００７６】
画像読取部２０は、ＣＣＤ２２ａ、画像読取制御部２００、その他ここでは図示しないが図５に示した自動原稿送り部２１、読取部２２等から構成される。画像読取制御部２００は、自動原稿送り部２１、読取部２２等を制御して、原稿面の露光走査を実行させ、光の反射光をＣＣＤ２２ａにより光電変換を行わせて画像を読み取る。読み取られたアナログ画像信号は読取処理部１４０に出力される。
【００７７】
操作表示部３０は、ＬＣＤ（Liquid Crystal Display）３１、操作表示制御部３００、その他図示しない操作キー群から構成される。ＬＣＤ３１上には、ＬＣＤ３１を覆うようにタッチパネルが設けられている。操作表示制御部３００は、制御部１１０から入力される表示信号に従って、各種設定条件を入力するための各種設定画面や各種処理結果等をＬＣＤ３１に表示させる。また、操作表示制御部３００は、操作キー群又はタッチパネルから入力される操作信号を制御部１１０に出力する。
【００７８】
また、操作表示部３０のＬＣＤ３１上には、図３、４に示すような各種設定画面が表示される。設定画面には、後処理の実行対象となる原稿ページの区分を入力し設定する第１入力部と、オモテ表紙の付加の設定を行なう第２入力部と、前記オモテ表紙に原稿ページの画像を形成させるか、又は、前記オモテ表紙に白紙画像を形成させるか、の選択を行なう第３入力部と、前記原稿ページの複数の区分のうち、先頭の区分のみに前記オモテ表紙を付加するか否かの設定を行なう第４入力部が設けられている。
【００７９】
プリント部４０は、図５に示した画像形成部４３等やプリント制御部４００を備えて構成される。プリント制御部４００は、制御部１１０からの指示に従って画像形成部４３等のプリント部４０の各部の動作を制御し、書込処理部１９０から入力されたプリントデータに基づいて用紙Ｐに画像形成を行わせると共に、制御部１１０からの指示に従って後処理部５０の各部を動作させる指示信号を後処理制御部５００に出力する。
【００８０】
次に、プリンタコントローラ２ｂの各部について説明する。プリンタコントローラ２ｂは、画像形成装置２をネットワークプリンタとして使用する場合に、ネットワークＮに接続される操作装置１から画像形成装置２に入力されるジョブの管理及び制御を行うものであり、操作装置１からプリント対象のデータを受信し、当該データをジョブとして本体部２ａへ送信する。
【００８１】
プリンタコントローラ２ｂは、コントローラ制御部２１ｂ、ＤＲＡＭ制御ＩＣ２２ｂ、画像メモリ２３ｂ、ＬＡＮＩＦ２４ｂから構成される。
【００８２】
コントローラ制御部２１ｂは、プリンタコントローラ２ｂ各部の動作を統括的に制御し、ＬＡＮＩＦ２４ｂを介して、操作装置１から入力されるデータをジョブとして本体部２ａへ送信する。
【００８３】
ＤＲＡＭ制御ＩＣ２２ｂは、ＬＡＮＩＦ２４ｂにより受信されたデータの画像メモリ２３ｂへの格納や、画像メモリ２３ｂからのデータの読み出しを制御する。また、ＤＲＡＭ制御ＩＣ２２ｂは、画像制御基板１００のＤＲＡＭ制御ＩＣ１６０とＰＣＩ（Peripheral Components Interconnect）バスで接続されており、コントローラ制御部２１ｂからの指示に従って、プリント対象のデータを画像メモリ２３ｂから読み出してＤＲＡＭ制御ＩＣ１６０に出力する。
【００８４】
画像メモリ２３ｂは、ＤＲＡＭから構成され、入力された出力データを一時的に格納する。
【００８５】
ＬＡＮＩＦ２４ｂは、ＮＩＣ（Network Interface Card）やモデム等のＬＡＮ等のネットワークＮに接続するための通信インターフェイスであり、操作装置１からデータを受信する。受信されたデータは、ＤＲＡＭ制御ＩＣ２２ｂに出力される。
【００８６】
後処理部５０は、ソートユニット、パンチユニット、ステイプルユニット、折りユニット、断裁ユニット等の各種後処理ユニットと、各種後処理ユニットへ用紙を搬送する搬送ローラ等の搬送手段が設けられており、各種後処理ユニットは後処理制御部５００により統括的に制御されている。後処理制御部５００は、制御部１１０からプリント制御部４００を介して入力される後処理の指示信号に応じて、用紙Ｐを搬送経路に沿って所定の処理ユニットに搬送し、各部を駆動制御して用紙Ｐに所定の後処理を行わせ、所定の排紙トレイに排出する制御を行う。
【００８７】
次に、本実施の形態の動作を説明する。
図８〜１１に、本実施の形態におけるオモテ表紙設定処理のフローチャートを示す。図８〜１１に示すフローチャートは、制御部１１０によって実行される処理である。
【００８８】
図８に示すフローチャートは、画像形成の開始時に実行される処理である。
制御部１１０は、まず、画像形成の開始前に、操作装置１又は操作表示部３０において各種設定条件及び画像データが入力された場合、入力された各種設定条件及び画像データをジョブデータとしてＲＡＭ１３０に記憶すると共に、ジョブデータを参照して、後処理モードＤ４及びオモテ表紙Ｄ６が共に設定されているか否か（ステイプルの設定及びオモテ表紙に白紙又は印刷の設定が有るか否か）を判定する（ステップＳ１）。
【００８９】
制御部１１０は、後処理モードＤ４及びオモテ表紙Ｄ６が共に設定されていない場合（ステップＳ１；Ｎｏ）、他の処理を実行し（ステップＳ２）本処理を終了する。
【００９０】
制御部１１０は、後処理モードＤ４及びオモテ表紙Ｄ６が共に設定されている場合（ステップＳ１；Ｙｅｓ）、オモテ表紙Ｄ６は白紙に設定されているか否かを判定する（ステップＳ３）。
【００９１】
制御部１１０は、オモテ表紙Ｄ６は白紙に設定されている場合（ステップＳ３；Ｙｅｓ）、ジョブデータのプリントページ番号Ｄ７を０に、区分ページカウンタＤ８を１に初期化する（ステップＳ４）。
【００９２】
制御部１１０は、オモテ表紙Ｄ６は白紙に設定されていない場合、即ち、印刷に設定されている場合（ステップＳ３；Ｎｏ）、ジョブデータのプリントページ番号Ｄ７を１に、区分ページカウンタＤ８を１に初期化する（ステップＳ５）。
【００９３】
制御部１１０は、ステップＳ４又はステップＳ５の初期化後、後述する第１給紙準備設定処理（図９参照）を実行し（ステップＳ６）、第１給紙準備設定処理後、後述するプリントページ設定処理（図１０参照）を実行する（ステップＳ７）。
【００９４】
制御部１１０は、プリントページ設定処理後（ステップＳ７後）、プリント開始信号と共にジョブデータのコピーモードＤ３及び後処理モードＤ４をプリント制御部４００及び後処理制御部５００に送信し（ステップＳ８）、本処理を終了する。
【００９５】
図９に、図８のステップＳ６で実行される第１給紙準備設定処理のフローチャートを示す。第１給紙準備設定処理とは、給紙部４１が用紙を給紙する際、給紙する用紙が格納されているトレイの設定や給紙される用紙に対するプリントページデータの情報、例えば、ステイプルの有無や区分の有無等を含むデータを設定する処理である。
【００９６】
制御部１１０は、ジョブデータを参照して、後処理モードＤ４及びオモテ表紙Ｄ６が共に設定されているか否か（ステイプルの設定及びオモテ表紙に白紙又は印刷の設定が有るか否か）を判定する（ステップＳ１１）。
【００９７】
制御部１１０は、後処理モードＤ４及びオモテ表紙Ｄ６が共に設定されていない場合（ステップＳ１１；Ｎｏ）、他の処理を実行し（ステップＳ１２）本処理を終了する。
【００９８】
制御部１１０は、後処理モードＤ４及びオモテ表紙Ｄ６が共に設定されている場合（ステップＳ１１；Ｙｅｓ）、ジョブデータの区分ページカウンタＤ８は１か否か、即ち、区分の先頭ページであるか否かを判定する（ステップＳ１３）。
【００９９】
制御部１１０は、区分ページカウンタＤ８は１である場合（ステップＳ１３；Ｙｅｓ）、用紙を給紙する給紙トレイをオモテ表紙トレイＤ６ａが示す給紙トレイに設定し（ステップＳ１４）、ステイプル有り及び区分無しに設定する（ステップＳ１５）。
【０１００】
制御部１１０は、区分ページカウンタＤ８は１でない場合（ステップＳ１３；Ｎｏ）、用紙を給紙する給紙トレイを本文トレイＤ５が示す給紙トレイに設定し（ステップＳ１６）、プリントページ番号Ｄ７が示すページ別データのステイプル及び区分情報に設定する（ステップＳ１７）。
【０１０１】
制御部１１０は、ステップＳ１５又はステップＳ１７後、設定された給紙トレイ、ステイプルの有無及び区分の有無の設定を第１給紙準備信号として設定し（ステップＳ１８）、本処理を終了する。
【０１０２】
図１０に、図８のステップＳ７で実行されるプリントページ設定処理のフローチャートを示す。プリントページ設定処理とは、各原稿ページに対応する個別画像データが設定されたジョブデータに応じてプリントページデータを生成し設定する処理である。
【０１０３】
制御部１１０は、ジョブデータを参照して、後処理モードＤ４及びオモテ表紙Ｄ６が共に設定されているか否か（ステイプルの設定及びオモテ表紙に白紙又は印刷の設定が有るか否か）を判定する（ステップＳ２１）。
【０１０４】
制御部１１０は、後処理モードＤ４及びオモテ表紙Ｄ６が共に設定されていない場合（ステップＳ２１；Ｎｏ）、他の処理を実行し（ステップＳ２２）本処理を終了する。
【０１０５】
制御部１１０は、後処理モードＤ４及びオモテ表紙Ｄ６が共に設定されている場合（ステップＳ２１；Ｙｅｓ）、オモテ表紙Ｄ６は白紙に設定されているか否かを判定する（ステップＳ２３）。
【０１０６】
制御部１１０は、オモテ表紙Ｄ６は白紙に設定されている場合（ステップＳ２３；Ｙｅｓ）、ジョブデータの区分ページカウンタＤ８は１か否か、即ち、区分の先頭ページであるか否かを判定する（ステップＳ２４）。
【０１０７】
制御部１１０は、区分ページカウンタＤ８は１である場合（ステップＳ２４；Ｙｅｓ）、不揮発メモリ１２０に保存されている白紙画像データをページメモリ１７２に展開する（ステップＳ２５）。
【０１０８】
制御部１１０は、オモテ表紙Ｄ６は白紙に設定されていない場合、即ちオモテ表紙Ｄ６は印刷に設定されている場合（ステップＳ２３；Ｎｏ）、又は、区分ページカウンタＤ８は１でない場合（ステップＳ２４；Ｎｏ）、プリントページ番号Ｄ７が示す原稿ページの識別番号に対応する画像格納アドレスＤ１１に格納されている個別画像データをページメモリ１７２に展開する（ステップＳ２６）。
【０１０９】
制御部１１０は、ページメモリ１７２に画像データを展開した後（ステップＳ２５又はステップＳ１６後）、ページメモリ１７２に展開された画像データをプリントページデータとして設定し、当該設定を第２給紙準備信号として設定し（ステップＳ２７）、本処理を終了する。
【０１１０】
図１１に、画像形成処理開始後、画像書込信号ＰＶＶがＯＮ状態からＯＦＦ状態に切り替わった際に実行される処理のフローチャートを示す。
【０１１１】
制御部１１０は、まず、画像書込信号ＰＶＶがＯＮ状態からＯＦＦ状態に切り替わったか否かを判別し（ステップＳ３１）、画像書込信号ＰＶＶがＯＦＦ状態に切り替わっていない場合（ステップＳ３１；Ｎｏ）、切り替わるまで待機する。
【０１１２】
制御部１１０は、画像書込信号ＰＶＶがＯＮ状態からＯＦＦ状態に切り替わった場合（ステップＳ３１；Ｙｅｓ）、ジョブデータを参照して、後処理モードＤ４及びオモテ表紙Ｄ６が共に設定されているか否か（ステイプルの設定及びオモテ表紙Ｄ６に白紙又は印刷の設定が有るか否か）を判定する（ステップＳ３２）。
【０１１３】
制御部１１０は、後処理モードＤ４及びオモテ表紙Ｄ６が共に設定されていない場合（ステップＳ３２；Ｎｏ）、他の処理を実行し（ステップＳ３３）本処理を終了する。
【０１１４】
制御部１１０は、後処理モードＤ４及びオモテ表紙Ｄ６が共に設定されている場合（ステップＳ３２；Ｙｅｓ）、プリントページ番号Ｄ７は０又は１かを判定し（ステップＳ３４）、プリントページ番号Ｄ７は０又は１である場合（ステップＳ３４；Ｙｅｓ）、区分ページカウンタＤ８に１を加算する（ステップＳ３５）。
【０１１５】
制御部１１０は、プリントページ番号Ｄ７が０及び１でない場合（ステップＳ３４；Ｎｏ）、プリントページ番号Ｄ７が示す原稿ページの識別番号よりも１つ前の原稿ページの識別番号（直前のプリントページ番号Ｄ７が示す原稿ページの識別番号）に対応する区分情報Ｄ１３は有りか否かを判定する（ステップＳ３６）。
【０１１６】
制御部１１０は、直前のプリントページ番号Ｄ７が示す原稿ページの識別番号に対応する区分情報Ｄ１３が有りの場合（ステップＳ３６；Ｙｅｓ）、ステップＳ３５に進む。
【０１１７】
制御部１１０は、直前のプリントページ番号Ｄ７が示す原稿ページの識別番号に対応する区分情報Ｄ１３が無い場合（ステップＳ３６；Ｎｏ）、プリントページ番号Ｄ７に対応する区分情報Ｄ１３は有りか否かを判定する（ステップＳ３７）。
【０１１８】
制御部１１０は、プリントページ番号Ｄ７に対応する区分情報Ｄ１３が無い場合（ステップＳ３７；Ｎｏ）、ステップＳ３５に進む。
【０１１９】
制御部１１０は、プリントページ番号Ｄ７に対応する区分情報Ｄ１３が有りの場合（ステップＳ３７；Ｙｅｓ）、ジョブデータの先頭冊子のみＤ６ｂが１か否か、即ち、先頭冊子設定釦Ｇ２１ｄがチェックされているか否かの判別、従って、複数の区分のうち先頭の区分により形成される冊子のみにオモテ表紙を付加する又は全ての区分により形成される全ての冊子にオモテ表紙を付加するかの判定を行う（ステップＳ３８）。
【０１２０】
制御部１１０は、先頭冊子のみＤ６ｂが１でない場合、即ち、先頭冊子設定釦Ｇ２１ｄがチェックされ先頭冊子のみＤ６ｂが０である場合、複数の区分のうち先頭の区分により形成される冊子のみにオモテ表紙を付加する場合（ステップＳ３８；Ｎｏ（先頭区分））、ステップＳ３５に進む。
【０１２１】
制御部１１０は、先頭冊子のみＤ６ｂが１である場合、即ち、先頭冊子設定釦Ｇ２１ｄがチェックされていない場合、複数の区分のうち全ての区分により形成される全ての冊子にオモテ表紙を付加する場合（ステップＳ３８；Ｙｅｓ（全区分））、区分ページカウンタＤ８を１に設定する（ステップＳ３９）。
【０１２２】
制御部１１０は、ステップＳ３５又はステップＳ３９後、オモテ表紙Ｄ６は白紙に設定されているか否かを判定する（ステップＳ４０）。
【０１２３】
制御部１１０は、オモテ表紙Ｄ６は白紙に設定されている場合（ステップＳ４０；Ｙｅｓ）、ジョブデータの区分ページカウンタＤ８は１か否か、即ち、区分の先頭ページであるか否かを判定する（ステップＳ４１）。
【０１２４】
制御部１１０は、オモテ表紙Ｄ６は白紙に設定されていない場合（ステップＳ４０；Ｎｏ）、又は、区分ページカウンタＤ８は１でない場合（ステップＳ４１；Ｎｏ）、プリントページ番号Ｄ７に１を加算する（ステップＳ４２）。
【０１２５】
制御部１１０は、区分ページカウンタＤ８は１である場合（ステップＳ４１；Ｙｅｓ）、又はステップＳ４２後、前述した第１給紙準備設定処理（図９参照）を実行し（ステップＳ４３）、第１給紙準備設定処理後、前述したプリントページ設定処理（図１０参照）を実行して（ステップＳ４４）、本処理を終了する。
【０１２６】
図１２に、本実施の形態において実行されたプリント処理のイメージ図を示し、図１３に、図１２のプリント処理を実現する画像形成装置２の動作のタイムチャート例を示す。
【０１２７】
図１２及び図１３は、図３、４に示す各種設定画面において、ステイプル設定部Ｇ１３ａがチェックされて左上の１ヶ所にステイプル処理が施され、オモテ表紙設定部Ｇ２１ａがチェックされ、白紙／印刷選択釦Ｇ２１ｂにより印刷が選択され、オモテ表紙の給紙トレイとして給紙トレイ設定釦Ｇ２１ｃによりトレイ１が設定され、先頭冊子設定釦Ｇ２１ｄがチェックされていない状態であり、また、ページ単位設定部Ｇ２３ａがチェックされ、一覧エリアＧ２３ｃに示された各種設定条件で各原稿ページが処理される場合における画像形成処理の例である。
【０１２８】
図１２（ａ）には、操作装置１においてアプリケーションソフトで作成された複数の原稿ページに対応する複数の個別画像データから成る画像データを示す。図１２（ｂ）には、画像形成装置２において用紙上に形成される複数のプリントページデータから成るプリントデータを示す。図１２（ｃ）には、画像形成装置２から排出される後処理後の用紙の束のイメージを示す。
【０１２９】
図１２（ａ）に示す操作装置１において作成された画像データは、各原稿ページに対応する個別画像データＩ１〜Ｉ４から成り、操作装置１から画像形成装置２に当該画像データが送信された際、各個別画像データを識別する識別番号（例えば、ページ１、ページ２・・・・）が個別画像データＩ１からＩ４に向かって順番に付加されジョブデータとして記憶される。
【０１３０】
図１２（ｂ）に示すプリントデータは、複数のプリントページデータＰｄ１〜Ｐｄ４から成る。プリントページデータＰｄ１、Ｐｄ３は、オモテ表紙に形成される。なお、図１２（ｂ）において、プリントページデータＰｄ１、Ｐｄ３のイメージ図にハッチングを施し、オモテ表紙に形成されることを示している。
【０１３１】
図１２（ｃ）に示す用紙の束のイメージは、オモテ表紙に形成されたプリントページデータＰｄ１とＰｄ２とが１つの用紙の束としてステイプル処理されて１つの冊子を構成し、オモテ表紙に形成されたプリントページデータＰｄ３とＰｄ４とが１つの用紙の束としてステイプル処理されて１つの冊子を構成したイメージ図である。なお、図１２（ｃ）において、オモテ表紙の用紙のイメージ図にハッチングを施し、オモテ表紙であることを示している。
【０１３２】
次に、図１３に示す画像形成装置２の動作のタイムチャート例について図１２の場合を例として説明する。
【０１３３】
第１給紙準備信号は、設定されたプリントページデータの情報、例えば、ステイプルの有無や区分の有無、給紙する用紙が格納されているトレイ等を含むデータである。該データは、制御部１１０からプリント制御部４００及びプリント制御部４００を介して後処理制御部５００に出力される。
【０１３４】
第１給紙信号は、用紙Ｐを給紙トレイ４１ａからレジストローラ４２ａまで搬送させる動作信号であり、当該第１給紙信号がＯＮ状態であるとき搬送動作中を示し、第１給紙準備信号に応じてプリント制御部４００から制御部１１０に出力される。第１給紙信号は、第２給紙信号がＯＮされた後、所定時間経過後にＯＮされる（ただし、１枚目の用紙の給紙時を除く。）。当該所定時間は、給紙トレイによって異なっている。
【０１３５】
第２給紙準備信号は、プリントページデータの書込み動作の可否を示す信号であり、ＯＮ状態であるとき次に書き込まれる画像の書込み準備完了状態を示し、ＯＦＦ状態であるとき書込み準備中の状態を示し、制御部１１０からプリント制御部４００に出力される。
【０１３６】
第２給紙信号は、用紙をレジストローラ４２ａから転写装置４３ａまで搬送させる動作信号であり、当該第２給紙信号がＯＮ状態であるとき搬送動作中を示し、第２給紙準備信号に応じてプリント制御部４００から制御部１１０に出力される。第２給紙信号は、第１給紙信号がＯＮされた後、所定時間経過後にＯＮされる。
【０１３７】
センサ信号は、レジストローラ４２ａから転写装置４３ａへ用紙が搬送される搬送経路上に設けられたセンサ４２ｂにより用紙の先端が検知されるとＯＮされ終端が検知されるとＯＦＦされる。
【０１３８】
画像書込信号ＰＶＶは、センサ信号がＯＮされるとＯＮとなり書き込みが開始され、１ページ分の設定されたプリントページデータの書き込みが終了するとＯＦＦとなる。画像書込信号ＰＶＶがＯＦＦすると、第１給紙準備信号及び第２給紙準備信号がＯＮされる。
【０１３９】
排紙信号は、画像が形成された用紙をプリント部４０から後処理部５０に排出させる動作信号であり、ＯＮ状態であるとき排出動作中を示し、プリント制御部４００から後処理制御部５００に出力される。
【０１４０】
区分信号は、排出動作中に用紙に形成された画像が、区分有りを示すプリントページデータであるか否かを示す信号であり、ＯＮ状態であるとき区分有りを示し、プリント制御部４００から後処理制御部５００に出力される。
【０１４１】
まず、時刻ｔ０のとき、図８〜１０に示した処理が実行されることにより、画像形成の開始前に、操作装置１又は操作表示部３０によって設定された各種設定条件及び画像データがジョブデータとしてＲＡＭ１３０に記憶されると共に、ジョブデータが参照され、後処理モードＤ４及びオモテ表紙Ｄ６が共に設定されているか否か（ステイプルの設定及びオモテ表紙に白紙又は印刷の設定が有るか否か）が判定される。また、オモテ表紙Ｄ６は白紙に設定されているか否かが判定され、図１２に示す例においては印刷に設定されているため、ジョブデータのプリントページ番号Ｄ７及び区分ページカウンタＤ８がＤ７＝１及びＤ８＝１に初期化される。区分ページカウンタＤ８が１であるため、給紙トレイはオモテ表紙トレイＤ６ａが示す給紙トレイに設定され、ステイプル有り区分無しの第１給紙準備信号が設定される。また、オモテ表紙Ｄ６は印刷に設定されているため、プリントページ番号（Ｄ７＝１）に対応する個別画像データがページメモリ１７２に展開され、ページメモリ１７２に展開された個別画像データがプリントページデータＰｄ１として設定され、第２給紙準備信号が設定される。プリント開始信号と共にジョブデータのコピーモードＤ３及び後処理モードＤ４がプリント制御部４００及び後処理制御部５００に送信され、また、第１給紙準備信号及び第２給紙準備信号がＯＮされる。
【０１４２】
時刻ｔ１のとき、第１給紙準備信号がＯＮされた時刻ｔ０から所定時間Ａ１が経過し、第１給紙信号がＯＮになり、用紙が給紙トレイ４１ａからレジストローラ４２ａに搬送される。
【０１４３】
時刻ｔ２のとき、第１給紙信号がＯＮされた時刻ｔ１から所定時間Ａ２が経過し、第１給紙信号がＯＦＦされ、第１給紙信号がＯＦＦされると第１給紙準備信号がＯＦＦされる。
【０１４４】
時刻ｔ３のとき、第１給紙信号がＯＮされた時刻ｔ１から所定時間Ａ３が経過し、第２給紙信号がＯＮされる。第２給紙信号がＯＮになると、レジストローラ４２ａから転写装置４３ａへ用紙が搬送される。その後、センサ４２ｂにより用紙の先端が検知されると、画像書込信号ＰＶＶがＯＮとなり、書き込みが開始されて、設定されたプリントページデータＰｄ１により１ページ目の用紙が画像形成される。また、画像書込信号ＰＶＶがＯＮされると第２給紙準備信号はＯＦＦされる。
【０１４５】
時刻ｔ４のとき、画像書き込みが終了し、画像書込信号ＰＶＶがＯＮ状態からＯＦＦ状態に切り替わると、図９〜１１に示した処理が実行される。プリントページ番号Ｄ７はＤ７＝１であるため、区分ページカウンタＤ８に１が加算され区分ページカウンタＤ８がＤ８＝２に設定される。また、オモテ表紙Ｄ６は印刷であることから、プリントページ番号Ｄ７に１が加算され、プリントページ番号Ｄ７がＤ７＝２に設定される。そして、区分ページカウンタＤ８が１でないため、給紙トレイが本文トレイＤ５が示す給紙トレイに設定され、プリントページ番号Ｄ７が示すページ別データのステイプル及び区分情報を示す第１給紙準備信号が設定される。更に、オモテ表紙Ｄ６は印刷に設定されているため、プリントページ番号（Ｄ７＝２）に対応する個別画像データがページメモリ１７２に展開され、ページメモリ１７２に展開された個別画像データがプリントページデータＰｄ２として設定され、第２給紙準備信号が設定され、第１給紙準備信号及び第２給紙準備信号がＯＮされる。
【０１４６】
時刻ｔ５のとき、第２給紙信号がＯＮされた時刻ｔ３から所定時間Ａ４が経過し、第１給紙信号がＯＮになり、用紙が給紙トレイ４１ａからレジストローラ４２ａに搬送される。
【０１４７】
時刻ｔ６のとき、第１給紙信号がＯＮされた時刻ｔ５から所定時間Ａ２が経過し、第１給紙信号がＯＦＦされ、第１給紙信号がＯＦＦされると第１給紙準備信号がＯＦＦされる。
【０１４８】
時刻ｔ７のとき、第１給紙信号がＯＮされた時刻ｔ５から所定時間Ａ３が経過し、第２給紙信号がＯＮされる。第２給紙信号がＯＮになると、レジストローラ４２ａから転写装置４３ａへ用紙が搬送される。その後、センサ４２ｂにより用紙の先端が検知されると、画像書込信号ＰＶＶがＯＮとなり、書き込みが開始されて、設定されたプリントページデータＰｄ２により２ページ目の用紙が画像形成される。また、画像書込信号ＰＶＶがＯＮされると第２給紙準備信号はＯＦＦされる。
時刻ｔ７〜ｔ８において、１ページ目の用紙が後処理部５０に排出される。
【０１４９】
時刻ｔ８のとき、画像書き込みが終了し、画像書込信号ＰＶＶがＯＮ状態からＯＦＦ状態に切り替わると、図９〜１１に示した処理が実行される。プリントページ番号Ｄ７はＤ７＝２であり、現在設定されているプリントページデータＰｄ２の直前の直前のプリントページデータＰｄ１は区切り無しであり、当該プリントページ番号Ｄ７（Ｄ７＝２）に対応する個別画像データは区切り有りであり、ジョブデータの先頭冊子のみＤ６ｂ＝１であることから、区分ページカウンタＤ８がＤ８＝１に初期化される。また、オモテ表紙Ｄ６は印刷であることから、プリントページ番号Ｄ７に１が加算され、プリントページ番号Ｄ７がＤ７＝３に設定される。そして、区分ページカウンタＤ８が１となったため、給紙トレイをオモテ表紙トレイＤ６ａが示す給紙トレイに設定し、ステイプル有り区分無しの第１給紙準備信号が設定される。更に、オモテ表紙Ｄ６は印刷に設定されているため、プリントページ番号（Ｄ７＝３）に対応する個別画像データがページメモリ１７２に展開され、ページメモリ１７２に展開された個別画像データがプリントページデータＰｄ３として設定され、第２給紙準備信号が設定され、第１給紙準備信号及び第２給紙準備信号がＯＮされる。
【０１５０】
時刻ｔ９のとき、第２給紙信号がＯＮされた時刻ｔ７から所定時間Ａ４が経過し、第１給紙信号がＯＮになり、用紙が給紙トレイ４１ａからレジストローラ４２ａに搬送される。
【０１５１】
時刻ｔ１０のとき、第１給紙信号がＯＮされた時刻ｔ９から所定時間Ａ２が経過し、第１給紙信号がＯＦＦされ、第１給紙信号がＯＦＦされると第１給紙準備信号がＯＦＦされる。
【０１５２】
時刻ｔ１１のとき、第１給紙信号がＯＮされた時刻ｔ９から所定時間Ａ３が経過し、第２給紙信号がＯＮされる。第２給紙信号がＯＮになると、レジストローラ４２ａから転写装置４３ａへ用紙が搬送される。その後、センサ４２ｂにより用紙の先端が検知されると、画像書込信号ＰＶＶがＯＮとなり、書き込みが開始されて、設定されたプリントページデータＰｄ３により３ページ目の用紙に画像形成する。また、画像書込信号ＰＶＶがＯＮされると第２給紙準備信号はＯＦＦされる。
【０１５３】
時刻ｔ１１〜ｔ１２において、２ページ目の用紙が後処理部５０に排出されると共に、区分信号がＯＮ状態となるため、後処理部５０に排出された１ページから２ページの用紙の束に対してステイプル処理が施される。
【０１５４】
時刻ｔ１２のとき、画像書き込みが終了し、画像書込信号ＰＶＶがＯＮ状態からＯＦＦ状態に切り替わると、図９〜１１に示した処理が実行される。プリントページ番号Ｄ７はＤ７＝３であり、現在設定されているプリントページデータＰｄ３の直前の直前のプリントページデータＰｄ２は区切り有りであることから、区分ページカウンタＤ８に１が加算され区分ページカウンタＤ８がＤ８＝２に設定される。また、オモテ表紙Ｄ６は印刷であることから、プリントページ番号Ｄ７に１が加算され、プリントページ番号Ｄ７がＤ７＝４に設定される。そして、区分ページカウンタＤ８が１でないため、給紙トレイが本文トレイＤ５が示す給紙トレイに設定され、プリントページ番号Ｄ７が示すページ別データのステイプル及び区分情報を示す第１給紙準備信号が設定される。更に、オモテ表紙Ｄ６は印刷に設定されているため、プリントページ番号（Ｄ７＝４）に対応する個別画像データがページメモリ１７２に展開され、ページメモリ１７２に展開された個別画像データがプリントページデータＰｄ４として設定され、第２給紙準備信号が設定され、第１給紙準備信号及び第２給紙準備信号がＯＮされる。
【０１５５】
時刻ｔ１３のとき、第２給紙信号がＯＮされた時刻ｔ１１から所定時間Ａ４が経過し、第１給紙信号がＯＮになり、用紙が給紙トレイ４１ａからレジストローラ４２ａに搬送される。
【０１５６】
時刻ｔ１４のとき、第１給紙信号がＯＮされた時刻ｔ１３から所定時間Ａ２が経過し、第１給紙信号がＯＦＦされ、第１給紙信号がＯＦＦされると第１給紙準備信号がＯＦＦされる。
【０１５７】
時刻ｔ１５のとき、第１給紙信号がＯＮされた時刻ｔ１３から所定時間Ａ３が経過し、第２給紙信号がＯＮされる。第２給紙信号がＯＮになると、レジストローラ４２ａから転写装置４３ａへ用紙が搬送される。その後、センサ４２ｂにより用紙の先端が検知されると、画像書込信号ＰＶＶがＯＮとなり、書き込みが開始されて、設定されたプリントページデータＰｄ４により４ページ目の用紙に画像形成する。また、画像書込信号ＰＶＶがＯＮされると第２給紙準備信号はＯＦＦされる。
時刻ｔ１５〜ｔ１６において、３ページ目の用紙が後処理部５０に排出される。
【０１５８】
時刻ｔ１６のとき、画像書き込みが終了し、画像書込信号ＰＶＶがＯＮ状態からＯＦＦ状態に切り替わる。
【０１５９】
そして、時刻ｔ１７において、４ページ目の用紙が後処理部５０に排出されると共に、区分信号がＯＮ状態となるため、後処理部５０に排出された３ページから４ページの用紙の束に対してステイプル処理が施され、プリント処理が終了される。
【０１６０】
図１４に、本実施の形態において実行されたプリント処理の他のイメージ図を示し、図１５に、図１４のプリント処理を実現する画像形成装置２の動作のタイムチャート例を示す。
【０１６１】
図１４及び図１５は、オモテ表紙設定部Ｇ２１ａがチェックされ、白紙／印刷選択釦Ｇ２１ｂにより白紙が選択された以外は、図１２及び図１３の条件と同様であるため、図３、４に示す各種設定画面において設定された事項についての説明は省略する。
【０１６２】
図１４（ａ）には、操作装置１においてアプリケーションソフトで作成された複数の原稿ページに対応する複数の個別画像データから成る画像データを示す。図１４（ｂ）には、画像形成装置２において用紙上に形成される複数のプリントページデータから成るプリントデータを示す。図１４（ｃ）には、画像形成装置２から排出される後処理後の用紙の束のイメージを示す。
【０１６３】
図１４（ａ）に示す操作装置１において作成された画像データは、各原稿ページに対応する個別画像データＩ１〜Ｉ４から成り、操作装置１から画像形成装置２に当該画像データが送信された際、各個別画像データを識別する識別番号（例えば、ページ１、ページ２・・・・）が個別画像データＩ１からＩ４に向かって順番に付加されジョブデータとして記憶される。
【０１６４】
図１４（ｂ）に示すプリントデータは、複数のプリントページデータＰｄ０１、Ｐｄ０２、Ｐｄ１〜Ｐｄ４から成る。プリントページデータＰｄ０１、Ｐｄ０２は、予め設定されている白紙画像データに基づいて生成されたプリントページデータである。なお、図１４（ｂ）において、プリントページデータＰｄ０１、Ｐｄ０２のイメージ図にハッチングを施し、オモテ表紙に形成されることを示している。
【０１６５】
図１４（ｃ）に示す用紙の束のイメージは、オモテ表紙に形成されたプリントページデータＰｄ０１とプリントページデータＰｄ１及びＰｄ２とが１つの用紙の束としてステイプル処理されて１つの冊子を構成し、オモテ表紙に形成されたプリントページデータＰｄ０２とプリントページデータＰｄ３及びＰｄ４とが１つの用紙の束としてステイプル処理されて１つの冊子を構成したイメージ図である。なお、図１４（ｃ）において、オモテ表紙の用紙のイメージ図にハッチングを施し、オモテ表紙であることを示している。
【０１６６】
次に、図１５に示す画像形成装置２の動作のタイムチャート例を図１４の場合を例として説明する。各種信号は、図１３に示すタイムチャートと同様であるため説明は省略する。
【０１６７】
まず、時刻ｔ２０のとき、図８〜１０に示した処理が実行されることにより、画像形成の開始前に、操作装置１又は操作表示部３０によって設定された各種設定条件及び画像データがジョブデータとしてＲＡＭ１３０に記憶されると共に、ジョブデータが参照され、後処理モードＤ４及びオモテ表紙Ｄ６が共に設定されているか否か（ステイプルの設定及びオモテ表紙に白紙又は印刷の設定が有るか否か）が判定される。オモテ表紙Ｄ６は白紙に設定されているか否かを判定し、図１４に示す例においては白紙に設定されているため、ジョブデータのプリントページ番号Ｄ７がＤ７＝０、区分ページカウンタＤ８がＤ８＝１に初期化される。区分ページカウンタＤ８が１であるため、給紙トレイはオモテ表紙トレイＤ６ａが示す給紙トレイに設定され、ステイプル有り区分無しの第１給紙準備信号が設定される。また、オモテ表紙Ｄ６は白紙に設定されており、かつ区分ページカウンタＤ８はＤ８＝１であるため、白紙画像データがページメモリ１７２に展開され、ページメモリ１７２に展開された白紙画像データはプリントページデータＰｄ０１として設定され、第２給紙準備信号が設定される。プリント開始信号と共にジョブデータのコピーモードＤ３及び後処理モードＤ４がプリント制御部４００及び後処理制御部５００に送信され、また、第１給紙準備信号及び第２給紙準備信号がＯＮされる。
【０１６８】
時刻ｔ２１のとき、第１給紙準備信号がＯＮされた時刻ｔ２０から所定時間Ａ１が経過し、第１給紙信号がＯＮになり、用紙が給紙トレイ４１ａからレジストローラ４２ａに搬送される。
【０１６９】
時刻ｔ２２のとき、第１給紙信号がＯＮされた時刻ｔ２１から所定時間Ａ２が経過し、第１給紙信号がＯＦＦされ、第１給紙信号がＯＦＦされると第１給紙準備信号がＯＦＦされる。
【０１７０】
時刻ｔ２３のとき、第１給紙信号がＯＮされた時刻ｔ２１から所定時間Ａ３が経過し、第２給紙信号がＯＮされる。第２給紙信号がＯＮになると、レジストローラ４２ａから転写装置４３ａへ用紙が搬送される。その後、センサ４２ｂにより用紙の先端が検知されると、画像書込信号ＰＶＶがＯＮとなり、書き込みが開始されて、設定されたプリントページデータＰｄ０１により１ページ目の用紙が画像形成される。また、画像書込信号ＰＶＶがＯＮされると第２給紙準備信号はＯＦＦされる。
【０１７１】
時刻ｔ２４のとき、画像書き込みが終了し、画像書込信号ＰＶＶがＯＮ状態からＯＦＦ状態に切り替わると、図９〜１１に示した処理が実行される。プリントページ番号Ｄ７はＤ７＝０であるため、区分ページカウンタＤ８に１が加算され区分ページカウンタＤ８がＤ８＝２に設定される。また、オモテ表紙Ｄ６は白紙であり区分ページカウンタＤ８は１でないことから、プリントページ番号Ｄ７に１が加算され、プリントページ番号Ｄ７がＤ７＝１に設定される。そして、区分ページカウンタＤ８が１でないため、給紙トレイが本文トレイＤ５が示す給紙トレイに設定され、プリントページ番号Ｄ７が示すページ別データのステイプル及び区分情報を示す第１給紙準備信号が設定される。また、オモテ表紙Ｄ６は白紙に設定され、区分ページカウンタＤ８は１でないことから、プリントページ番号（Ｄ７＝１）に対応する個別画像データがページメモリ１７２に展開され、ページメモリ１７２に展開された個別画像データがプリントページデータＰｄ１として設定され、第２給紙準備信号が設定され、第１給紙準備信号及び第２給紙準備信号がＯＮされる。
【０１７２】
時刻ｔ２５のとき、第２給紙信号がＯＮされた時刻ｔ２３から所定時間Ａ４が経過し、第１給紙信号がＯＮになり、用紙が給紙トレイ４１ａからレジストローラ４２ａに搬送される。
【０１７３】
時刻ｔ２６のとき、第１給紙信号がＯＮされた時刻ｔ２５から所定時間Ａ２が経過し、第１給紙信号がＯＦＦされ、第１給紙信号がＯＦＦされると第１給紙準備信号がＯＦＦされる。
【０１７４】
時刻ｔ２７のとき、第１給紙信号がＯＮされた時刻ｔ２５から所定時間Ａ３が経過し、第２給紙信号がＯＮされる。第２給紙信号がＯＮになると、レジストローラ４２ａから転写装置４３ａへ用紙が搬送される。その後、センサ４２ｂにより用紙の先端が検知されると、画像書込信号ＰＶＶがＯＮとなり、書き込みが開始されて、設定されたプリントページデータＰｄ１により２ページ目の用紙が画像形成される。また、画像書込信号ＰＶＶがＯＮされると第２給紙準備信号はＯＦＦされる。
時刻ｔ２７〜ｔ２８において、１ページ目の用紙が後処理部５０に排出される。
【０１７５】
時刻ｔ２８のとき、画像書き込みが終了し、画像書込信号ＰＶＶがＯＮ状態からＯＦＦ状態に切り替わると、図９〜１１に示した処理が実行される。プリントページ番号Ｄ７はＤ７＝１であるため、区分ページカウンタＤ８に１が加算され区分ページカウンタＤ８がＤ８＝３に設定される。また、オモテ表紙Ｄ６は白紙であり区分ページカウンタＤ８は１でないことから、プリントページ番号Ｄ７に１が加算され、プリントページ番号Ｄ７がＤ７＝２に設定される。そして、区分ページカウンタＤ８が１でないため、給紙トレイが本文トレイＤ５が示す給紙トレイに設定され、プリントページ番号Ｄ７が示すページ別データのステイプル及び区分情報を示す第１給紙準備信号が設定される。また、オモテ表紙Ｄ６は白紙に設定され、区分ページカウンタＤ８は１でないことから、プリントページ番号（Ｄ７＝２）に対応する個別画像データがページメモリ１７２に展開され、ページメモリ１７２に展開された個別画像データがプリントページデータＰｄ２として設定され、第２給紙準備信号が設定され、第１給紙準備信号及び第２給紙準備信号がＯＮされる。
【０１７６】
時刻ｔ２９のとき、第２給紙信号がＯＮされた時刻ｔ２７から所定時間Ａ４が経過し、第１給紙信号がＯＮになり、用紙が給紙トレイ４１ａからレジストローラ４２ａに搬送される。
【０１７７】
時刻ｔ３０のとき、第１給紙信号がＯＮされた時刻ｔ２９から所定時間Ａ２が経過し、第１給紙信号がＯＦＦされ、第１給紙信号がＯＦＦされると第１給紙準備信号がＯＦＦされる。
【０１７８】
時刻ｔ３１のとき、第１給紙信号がＯＮされた時刻ｔ２９から所定時間Ａ３が経過し、第２給紙信号がＯＮされる。第２給紙信号がＯＮになると、レジストローラ４２ａから転写装置４３ａへ用紙が搬送される。その後、センサ４２ｂにより用紙の先端が検知されると、画像書込信号ＰＶＶがＯＮとなり、書き込みが開始されて、設定されたプリントページデータＰｄ２により３ページ目の用紙が画像形成される。また、画像書込信号ＰＶＶがＯＮされると第２給紙準備信号はＯＦＦされる。
時刻ｔ３１〜ｔ３２において、２ページ目の用紙が後処理部５０に排出される。
【０１７９】
時刻ｔ３２のとき、画像書き込みが終了し、画像書込信号ＰＶＶがＯＮ状態からＯＦＦ状態に切り替わると、図９〜１１に示した処理が実行される。プリントページ番号Ｄ７はＤ７＝２であり、現在設定されているプリントページデータＰｄ２の直前のプリントページデータＰｄ１は区切りなしであり、当該プリントページ番号Ｄ７（Ｄ７＝２）に対応する個別画像データは区切り有りであり、ジョブデータの先頭冊子のみＤ６ｂ＝１であることから、区分ページカウンタＤ８がＤ８＝１に初期化される。また、オモテ表紙Ｄ６は白紙であり、区分ページカウンタＤ８が１であることから、プリントページ番号Ｄ７は変更されずＤ７＝２に保持されることとなる。そして、区分ページカウンタＤ８が１となったため、給紙トレイをオモテ表紙トレイＤ６ａが示す給紙トレイに設定し、ステイプル有り区分無しの第１給紙準備信号が設定される。更に、オモテ表紙Ｄ６は白紙に設定されており、かつ区分ページカウンタＤ８はＤ８＝１であるため、白紙画像データがページメモリ１７２に展開され、ページメモリ１７２に展開された白紙画像データはプリントページデータＰｄ０２として設定され、第２給紙準備信号が設定される。プリント開始信号と共にジョブデータのコピーモードＤ３及び後処理モードＤ４がプリント制御部４００及び後処理制御部５００に送信され、また、第１給紙準備信号及び第２給紙準備信号がＯＮされる。
【０１８０】
時刻ｔ３３のとき、第２給紙信号がＯＮされた時刻ｔ３１から所定時間Ａ４が経過し、第１給紙信号がＯＮになり、用紙が給紙トレイ４１ａからレジストローラ４２ａに搬送される。
【０１８１】
時刻ｔ３４のとき、第１給紙信号がＯＮされた時刻ｔ３３から所定時間Ａ２が経過し、第１給紙信号がＯＦＦされ、第１給紙信号がＯＦＦされると第１給紙準備信号がＯＦＦされる。
【０１８２】
時刻ｔ３５のとき、第１給紙信号がＯＮされた時刻ｔ３３から所定時間Ａ３が経過し、第２給紙信号がＯＮされる。第２給紙信号がＯＮになると、レジストローラ４２ａから転写装置４３ａへ用紙が搬送される。その後、センサ４２ｂにより用紙の先端が検知されると、画像書込信号ＰＶＶがＯＮとなり、書き込みが開始されて、設定されたプリントページデータＰｄ０２により４ページ目の用紙が画像形成される。また、画像書込信号ＰＶＶがＯＮされると第２給紙準備信号はＯＦＦされる。
【０１８３】
時刻ｔ３５〜ｔ３６において、３ページ目の用紙が後処理部５０に排出されると共に、区分信号がＯＮ状態となり、後処理部５０に排出された１ページから３ページの用紙の束に対してステイプル処理が施される。
【０１８４】
時刻ｔ３６のとき、画像書き込みが終了し、画像書込信号ＰＶＶがＯＮ状態からＯＦＦ状態に切り替わると、図９〜１１に示した処理が実行される。
プリントページ番号Ｄ７はＤ７＝２であり、現在設定されているプリントページデータＰｄ０２の直前の直前のプリントページデータＰｄ２は区切り有りであるため、区分ページカウンタＤ８に１が加算され区分ページカウンタＤ８がＤ８＝２に設定される。また、オモテ表紙Ｄ６は白紙であり区分ページカウンタＤ８は１でないことから、プリントページ番号Ｄ７に１が加算され、プリントページ番号Ｄ７がＤ７＝３に設定される。そして、区分ページカウンタＤ８が１でないため、給紙トレイが本文トレイＤ５が示す給紙トレイに設定され、プリントページ番号Ｄ７が示すページ別データのステイプル及び区分情報を示す第１給紙準備信号が設定される。更に、オモテ表紙Ｄ６は白紙に設定され、区分ページカウンタＤ８は１でないことから、プリントページ番号（Ｄ７＝３）に対応する個別画像データがページメモリ１７２に展開され、ページメモリ１７２に展開された個別画像データがプリントページデータＰｄ３として設定され、第２給紙準備信号が設定され、第１給紙準備信号及び第２給紙準備信号がＯＮされる。
【０１８５】
時刻ｔ３７のとき、第２給紙信号がＯＮされた時刻ｔ３５から所定時間Ａ４が経過し、第１給紙信号がＯＮになり、用紙が給紙トレイ４１ａからレジストローラ４２ａに搬送される。
【０１８６】
時刻ｔ３８のとき、第１給紙信号がＯＮされた時刻ｔ３７から所定時間Ａ２が経過し、第１給紙信号がＯＦＦされ、第１給紙信号がＯＦＦされると第１給紙準備信号がＯＦＦされる。
【０１８７】
時刻ｔ３９のとき、第１給紙信号がＯＮされた時刻ｔ３７から所定時間Ａ３が経過し、第２給紙信号がＯＮされる。第２給紙信号がＯＮになると、レジストローラ４２ａから転写装置４３ａへ用紙が搬送される。その後、センサ４２ｂにより用紙の先端が検知されると、画像書込信号ＰＶＶがＯＮとなり、書き込みが開始されて、設定されたプリントページデータＰｄ３により５ページ目の用紙が画像形成される。また、画像書込信号ＰＶＶがＯＮされると第２給紙準備信号はＯＦＦされる。
時刻ｔ３９〜ｔ４０において、３ページ目の用紙が後処理部５０に排出される。
【０１８８】
時刻ｔ４０のとき、画像書き込みが終了し、画像書込信号ＰＶＶがＯＮ状態からＯＦＦ状態に切り替わると、図９〜１１に示した処理が実行される。プリントページ番号Ｄ７はＤ７＝３であり、現在設定されているプリントページデータＰｄ３の直前の直前のプリントページデータＰｄ０２は区切り無しであり、当該プリントページ番号Ｄ７（Ｄ７＝３）に対応する個別画像データは区切り無しであるため、区分ページカウンタＤ８に１が加算され区分ページカウンタＤ８がＤ８＝３に設定される。また、オモテ表紙Ｄ６は白紙であり区分ページカウンタＤ８は１でないことから、プリントページ番号Ｄ７に１が加算され、プリントページ番号Ｄ７がＤ７＝４に設定される。そして、区分ページカウンタＤ８が１でないため、給紙トレイが本文トレイＤ５が示す給紙トレイに設定され、プリントページ番号Ｄ７が示すページ別データのステイプル及び区分情報を示す第１給紙準備信号が設定される。更に、オモテ表紙Ｄ６は白紙に設定され、区分ページカウンタＤ８は１でないことから、プリントページ番号（Ｄ７＝４）に対応する個別画像データがページメモリ１７２に展開され、ページメモリ１７２に展開された個別画像データがプリントページデータＰｄ４として設定され、第２給紙準備信号が設定され、第１給紙準備信号及び第２給紙準備信号がＯＮされる。
【０１８９】
時刻ｔ４１のとき、第２給紙信号がＯＮされた時刻ｔ３９から所定時間Ａ４が経過し、第１給紙信号がＯＮになり、用紙が給紙トレイ４１ａからレジストローラ４２ａに搬送される。
【０１９０】
時刻ｔ４２のとき、第１給紙信号がＯＮされた時刻ｔ４１から所定時間Ａ２が経過し、第１給紙信号がＯＦＦされ、第１給紙信号がＯＦＦされると第１給紙準備信号がＯＦＦされる。
【０１９１】
時刻ｔ４３のとき、第１給紙信号がＯＮされた時刻ｔ４１から所定時間Ａ３が経過し、第２給紙信号がＯＮされる。第２給紙信号がＯＮになると、レジストローラ４２ａから転写装置４３ａへ用紙が搬送される。その後、センサ４２ｂにより用紙の先端が検知されると、画像書込信号ＰＶＶがＯＮとなり、書き込みが開始されて、設定されたプリントページデータＰｄ４により６ページ目の用紙が画像形成される。また、画像書込信号ＰＶＶがＯＮされると第２給紙準備信号はＯＦＦされる。
時刻ｔ４３〜ｔ４４において、５ページ目の用紙が後処理部５０に排出される。
【０１９２】
時刻ｔ４４のとき、画像書き込みが終了し、画像書込信号ＰＶＶがＯＮ状態からＯＦＦ状態に切り替わる。
【０１９３】
そして、時刻ｔ４５において、６ページ目の用紙が後処理部５０に排出されると共に、区分信号がＯＮ状態となるため、後処理部５０に排出された４ページから６ページの用紙の束に対してステイプル処理が施され、プリント処理が終了される。
【０１９４】
以上のように本実施の形態によれば、原稿ページの後処理（例えば、ステイプル処理）の区分が設定され、且つ、オモテ表示の付加の設定がなされた場合、区分毎の先頭の用紙をオモテ表紙として画像形成部４３に画像を形成させることができるため、後処理が実行される原稿ページの区分毎又は原稿ページ毎にオモテ表紙設定を行う手間が省かれ、ユーザに対する使い勝手を向上することができる。
【０１９５】
また、オモテ表紙に原稿ページの画像を形成するか又は白紙画像を形成させるかをユーザが任意に選択でき、オモテ表紙に区分毎の先頭の原稿ページの画像を形成させると選択された場合、オモテ表紙に区分毎の先頭の原稿ページの画像を画像形成部４３に形成させることができ、また、オモテ表紙に白紙画像を形成させると選択された場合、オモテ表紙に白紙画像を画像形成部４３に形成させることができる。
【０１９６】
更に、原稿ページの複数の区分のうち、先頭の区分のみにオモテ表紙を付加するか否かの設定を行なうかをユーザが任意に選択することができ、ユーザに対する利便性を向上させることができる。
【０１９７】
なお、本発明は、上記実施の形態の内容に限定されるものではなく、本発明の主旨を逸脱しない範囲で適宜変更可能である。
【図面の簡単な説明】
【０１９８】
【図１】本実施の形態における画像形成システムの構成を示す図である。
【図２】操作装置の内部構成図である。
【図３】セットアップ画面の例を示す図である。
【図４】ページ単位設定画面の例を示す図である。
【図５】画像形成装置の概略断面構成図である。
【図６】画像形成装置の制御ブロック図である。
【図７】ジョブデータの一例を示す図である。
【図８】画像形成の開始時に実行される処理のフローチャートである。
【図９】第１給紙準備設定処理のフローチャートである。
【図１０】プリントページ設定処理のフローチャートである。
【図１１】画像形成処理開始後、画像書込信号ＰＶＶがＯＮ状態からＯＦＦ状態に切り替わった際に実行される処理のフローチャートである。
【図１２】本実施の形態において実行されたプリント処理のイメージ図である。
【図１３】図１２のプリント処理を実現する画像形成装置２の動作のタイムチャート例を示す図である。
【図１４】本実施の形態において実行されたプリント処理の他のイメージ図である。
【図１５】図１４のプリント処理を実現する画像形成装置２の動作のタイムチャート例を示す図である。
【符号の説明】
【０１９９】
１  操作装置
２  画像形成装置
２ａ  本体部
２ｂ  プリンタコントローラ
２１ｂ  コントローラ制御部
２２ｂ  ＤＲＡＭ制御ＩＣ
２３ｂ  画像メモリ
２４ｂ  ＬＡＮＩＦ
１１  制御部
１２  記憶部
１２ａ  プリンタドライバプログラム
１３  ＲＡＭ
１４  操作部
１５  表示部
１６  通信部
１７  バス
２０  画像読取部
２１  自動原稿送り部
２２  読取部
２２ａ  ＣＣＤ
３０  操作表示部
３１  ＬＣＤ
４０  プリント部
４１  給紙部
４１ａ  給紙トレイ
４１ｂ  給紙手段
４２  給紙搬送部
４２ａ  レジストローラ
４２ｂ  センサ
４３  画像形成部
４３ａ  転写装置
４３ｂ  定着装置
４４  搬出部
５０  後処理部
１００  画像制御基板
１１０  制御部
１２０  不揮発メモリ
１３０  ＲＡＭ
１３１  ジョブデータ
１３１ａ  ページ共通データ
１３１ｂ  ページ別データ
１４０  読取処理部
１５０  圧縮ＩＣ
１６０  ＤＲＡＭ制御ＩＣ
１７０  画像メモリ
１７１  圧縮メモリ
１７２  ページメモリ
１８０  伸長ＩＣ
１９０  書込処理部
２００  画像読取制御部
３００  操作表示制御部
４００  プリント制御部
５００  後処理制御部
Ａ  画像形成システム
ｄ  原稿
Ｄ１  設定部数
Ｄ２  出力済み部数
Ｄ３  コピーモード
Ｄ４  後処理モード
Ｄ５  本文トレイ
Ｄ６  オモテ表紙
Ｄ６ａ  オモテ表紙トレイ
Ｄ６ｂ  先頭冊子のみ
Ｄ７  プリントページ番号
Ｄ８  区分ページカウンタ
Ｄ９  読取済画像枚数
Ｄ１１  画像格納アドレス
Ｄ１２  ステイプル
Ｄ１３  区分
Ｇ０  セットアップ画面
Ｇ１  セットアップインデックス
Ｇ２  ページ単位設定インデックス
Ｇ３  特殊画面インデックス
Ｇ４  フォームインデックス
Ｇ５  ウォーターマークインデックス
Ｇ６  画像品質インデックス
Ｇ７  フォントインデックス
Ｇ８  バージョンインデックス
Ｇ１１  用紙設定エリア
Ｇ１２  出力設定エリア
Ｇ１３  製本設定エリア
Ｇ１３ａ  ステイプル設定部
Ｇ１３ｂ  ステイプル設定釦
Ｇ１４  プレビューエリア
Ｇ２０ａ  ページ単位設定画面
Ｇ２１  オモテ表紙設定エリア
Ｇ２１ａ  オモテ表紙設定部
Ｇ２１ｂ  白紙／印刷選択釦
Ｇ２１ｃ  給紙トレイ設定釦
Ｇ２１ｄ  先頭冊子設定釦
Ｇ２２  ウラ表紙設定エリア
Ｇ２３  ページ単位設定エリア
Ｇ２３ａ  ページ単位設定部
Ｇ２３ｂ  条件選択釦
Ｇ２３ｃ  一覧エリア
Ｇ２４  プレビューエリア
Ｉ１〜Ｉ４  個別画像データ
Ｎ  ネットワーク
Ｐ  用紙
Ｐｄ０１、Ｐｄ０２、Ｐｄ１〜Ｐｄ４  プリントページデータ
Ｔ１  原稿トレイ
Ｔ２  手差しトレイ
Ｔ３  排紙トレイ
【図１】
2008273011.tif 000003
【図２】
2008273011.tif 000004
【図３】
2008273011.tif 000005
【図４】
2008273011.tif 000006
【図５】
2008273011.tif 000007
【図６】
2008273011.tif 000008
【図７】
2008273011.tif 000009
【図８】
2008273011.tif 000010
【図９】
2008273011.tif 000011
【図１０】
2008273011.tif 000012
【図１１】
2008273011.tif 000013
【図１２】
2008273011.tif 000014
【図１３】
2008273011.tif 000015
【図１４】
2008273011.tif 000016
【図１５】
2008273011.tif 000017